(57)【要約】【課題】歯の治療時に用いる揮発性成分を含有する薬液の処理作業に好適な歯科用トレイを提供する。【解決手段】上面に少なくとも２個の薬液用溜孔１０、１１と、前記薬液の取扱い時に用いる筆、ブラシ、ヘラ、スポンジ等の器具を載置しうる溝状部３、４を設けた歯科用トレイ１とする。  溝上部３、４は幅を異ならしめることが望ましい。【選択図】    図１
2010042066.tif 000002
【特許請求の範囲】
【請求項１】
上面に少なくとも２個の薬液用溜孔と、前記薬液の取扱い時に用いる器具を載置しうる溝状部とを設けたことを特徴とする歯科用トレイ。
【請求項２】
薬液用溜孔の、深さを５〜１０ｍｍ、最大孔径を５．５〜９ｍｍとした請求項１記載の歯科用トレイ。
【請求項３】
薬液用溜孔の容積を０．０１〜０．４０立方糎とした請求項１または２に記載の歯科用トレイ。
【請求項４】
薬液用溜孔における上部に、上方に向けて拡径する擂鉢状の案内孔を設けた請求項１〜３のいずれかに記載の歯科用トレイ。
【請求項５】
各薬液用溜孔の孔径または深さを異ならしめた請求項１〜４のいずれかに記載の歯科用トレイ。
【請求項６】
溝状部として、溝幅の異なる２種以上の溝状部を設けた請求項１〜５のいずれかに記載の歯科用トレイ。
【請求項７】
歯科用ポストの一端を挿入して保持するためのポスト保持孔を設けた請求項１〜６のいずれかに記載の歯科用トレイ。
【請求項８】
歯科用トレイの周側面に、複数個の滑止用突条を設けた請求項１〜７のいずれかに記載の歯科用トレイ。
【請求項９】
請求項１〜８のいずれかに記載の歯科用トレイと、この歯科用トレイを載置する置台とよりなり、置台の上面に、歯科用トレイの移動を阻止するための歯科用トレイ底部を嵌入する凹部、または歯科用トレイ底部の周壁に当接して移動を阻止する移動阻止壁を設けた置台を備える歯科用トレイセット。
【発明の詳細な説明】
【技術分野】
【０００１】
本発明は歯科用トレイに係わり、特に歯科医師が歯の治療時に用いる揮発性成分を含んだ薬液の混和やそれに使用する器具の載置に好適な歯科用トレイ及びこの歯科用トレイを用いた歯科用トレイセットに関する。
【背景技術】
【０００２】
揮発性成分を含んだ薬液としては、虫歯等による窩洞部に歯科材料を装填する場合、或はファイバーポスト、メタルポスト等の歯科用ポストを固定する場合等に使用される接着剤や、この接着剤使用時の前処理剤として用いられるプライマー等が挙げられる。
【０００３】
これら接着剤やプライマーは、使用時にトレイ上に適量を採取し、必要に応じて混和等を行い使用に供せられる。
【０００４】
このトレイ０１は、図４１、図４２に示すように、通常、ポリエチレン、ポリプロピレン、ポリアセタール、塩化ビニル、ＡＢＳ、ＰＴＦＥ等の合成樹脂を用いて中空成形により成形し、上面に単に浅皿状の薬液用溜部０２が設けられた使い捨てタイプのものが使用されている。
【０００５】
しかし、従来の前記トレイ０１は、薬液の種類によっては、揮発性成分の関係から、処理時間が可成り制限され、極めて短時間で処理しなければならず、短時間で処理できない場合は、薬液が揮発してしまうという問題があった。
【０００６】
一方、歯科用トレイとしては、たとえば特許文献１には、筆積み法による作業中に古い余分な混合物が小筆に少量ずつ蓄積してしまう現象に対して、片手でも簡単に筆先の余分な混合物を除去することが可能な歯科材料用トレイが記載されている。
【０００７】
ここで歯科材料としては、暫間クラウン、破折した義歯床や人工歯の修理、窩洞部の仮封等に用いられるものが対象であって、特にモノマーを主成分とする液と、ポリマーを主成分とする粉の二成分に筆積み法を適用する場合に生ずる筆先の余分な混合物を筆洗い部を設けて除去しようとするものである。
【０００８】
また、特許文献２には、光硬化性歯科材料を時期尚早に硬化させることなく、歯の治療に使用することができる操作の簡便な歯科調剤トレイが記載されている。
【０００９】
すなわち、光硬化性材料を受容する材料溜めの上方に、化学線の実質的部分を透過しないが可視分光の少なくとも一部を透過する材料で作製された摺動可能なカバーを設けて、光硬化性歯科材料の時期尚早の硬化を防止しようとするものである。
【００１０】
しかし、これらの特許文献１、２に記載されるものは、揮発性成分を含んだ薬液の処理に用いるトレイの改良に係るものではない。
【特許文献１】特開２００６−２０４３９１号公報
【特許文献２】実開平６−４８６１８号公報
【発明の開示】
【発明が解決しようとする課題】
【００１１】
本発明は、前記の現状に鑑み、歯の治療時に用いる揮発性成分を含有する薬液の処理作業に好適な歯科用トレイを提供することを意図し、特に処理時間と操作性の両面において好適な歯科用トレイを提供することを課題とする。
【課題を解決するための手段】
【００１２】
上記課題は、「特許請求の範囲」における各請求項に示すように、次のような構成からなる発明によって解決される。
【００１３】
(１)   上面に少なくとも２個の薬液用溜孔と、前記薬液の取扱い時に用いる器具を載置しうる溝状部とを設けたことを特徴とする歯科用トレイとする。
【００１４】
（２）  上記（１）項において、薬液用溜孔の、深さを５〜１０ｍｍ、最大孔径を５．５〜９ｍｍとする。
【００１５】
（３）  上記（１）項または（２）項において、薬液用溜孔の容積を０．０１〜０．４０立方糎とする。
【００１６】
（４）  上記（１）項〜（３）項のいずれかにおいて、薬液用溜孔における上部に、上方に向けて拡径する擂鉢状の案内孔を設ける。
【００１７】
（５）  上記（１）項〜（４）項のいずれかにおいて、各薬液用溜孔の孔径または深さを異ならしめる。
【００１８】
（６）  上記（１）項〜（５）項のいずれかにおいて、溝状部として、溝幅の異なる２種以上の溝状部を設ける。
【００１９】
（７）  上記（１）項〜（６）項のいずれかにおいて、歯科用ポストの一端を挿入して保持するためのポスト保持孔を設ける。
【００２０】
（８）  上記（１）項〜（７）項のいずれかにおいて、歯科用トレイ    の周側面に、複数個の滑止用突条を設ける。
【００２１】
（９）  上記（１）項〜（８）項のいずれかに記載の歯科用トレイと、この歯科用トレイを載置する置台とよりなり、置台の上面に、歯科用トレイの移動を阻止するための歯科用トレイ底部を嵌入する凹部、または歯科用トレイ底部の周壁に当接して移動を阻止する移動阻止壁を設けた置台を備える歯科用トレイセットとする。
【発明の効果】
【００２２】
本発明によると、各請求項に記載の発明において、次のような効果が奏せられる。
請求項１記載の発明によれば、上面に少なくとも２個の薬液用溜孔と、前記薬液の取扱い時に用いる器具を載置するための溝状部とを設けてあるため、たとえば前記溝状部に塗布用の２本の筆を予め載置した後に、一方の薬液用溜孔にプライマー、他方の薬液用溜孔に接着剤をそれぞれ薬液瓶から滴下採取し、１本の筆でプライマーを歯の窩洞部に塗布し、残りの筆で接着剤を補綴物に塗布し、次いで補綴物を歯の窩洞部に装填する等の工程で作業することにより、同じトレイ上に２種類の薬液と筆が用意されているため、処理時間と操作性の両面において能率的に手際よく作業を行うことができる。
また、たとえば接着剤が２液タイプの場合には、一方の薬液用溜孔に、両液を滴下採取した後に、トレイ上に予め載置してある筆で混和し、次いで補綴物に塗布すればよい。
また、さらにファイバーポストやメタルポスト等の歯科用ポストを用いる場合には、この歯科用ポストも予め前記溝状部に載置しておくことにより、一層効率的に作業を行うことができる。
【００２３】
請求項２記載の発明によれば、薬液用溜孔の深さを５〜１０ｍｍ、最大孔径を５．５〜９ｍｍとしたため、歯科治療において一般的に用いられる薬液に関して、好ましい通常の処理時間である２分経過時点において、薬液の６５％以上さらに好ましくはほぼ７０％以上を、薬液用溜孔に溜めおくことが可能であるため、処理作業を失敗することなく確実に行うことができる。
【００２４】
請求項３記載の発明によれば、薬液用溜孔の容積を０．０１〜０．４０立方糎としてあるため、歯科治療において一般的に用いられる薬液の処理作業を効率よく行うことができる。
【００２５】
請求項４記載の発明によれば、薬液用溜孔における上部に、上方に向けて拡径する擂鉢状の案内孔を設けたため、筆をもって薬液用溜孔内の薬液を採取したり、混和する際に、前記案内孔が筆先を薬液用溜孔に案内する作用をなし、作業を効率よく行うことができる。
また、薬液用溜孔の開口周辺に落下した薬液も、その落下位置が案内孔が占める範囲内であれば、案内孔を介して、薬液用溜孔内に流下し、薬液が無駄となることがないとともに、作業効率上も良好である。
【００２６】
請求項５記載の発明によれば、各薬液用溜孔の孔径または深さを異ならしめてあるため、用いる複数の薬液のうち、揮発性の大きいものを、孔径、深さを比較して、揮発が少ないと考えられる方の薬液用溜孔に採取することにより、すべての薬液用溜孔の孔径と深さが同じであるトレイを用いた場合に対比して、より好ましい結果が期待しうる作業を行うことができる。
【００２７】
請求項６記載の発明によれば、溝状部として、溝幅の異なる２種以上の溝状部を設けたため、歯科治療の作業時に用いる筆、ブラシ、ヘラ、スポンジ等の器具、またはファイバーポスト、メタルポスト等の歯科用ポストを、それらの大きさによって、最も適合する溝幅を有する溝状部を選んで載置することができる。
たとえば、小さい溝幅の溝状部上に、その溝幅よりも相当に大きい幅を有する器具を載置した場合は、溝状部が器具の落下を防止する機能が少なくなるか、または皆無となり、一方、大きい溝幅の溝状部上に、小さい幅を有する器具を載置した場合には、器具の位置安定性が不良となる。
したがって、溝幅の異なる２種以上の溝状部を設けることにより、器具の大きさに応じて、落下防止と位置安定性の良好な溝状部上に載置することができる。
【００２８】
請求項７記載の発明によれば、歯科用ポストの一端を挿入して保持するためのポスト保持孔を設けたため、歯科用ポストを溝状部に載置する場合よりも安定的に保持することができるばかりでなく、歯科用ポストは、径が小さいため、溝状部に横向きに保持した場合、爪先で歯科用ポストを握持する必要があり取り出し難いが、ポスト保持孔に縦向きに保持することにより、容易に歯科用ポストを取り出すことができる。
また、歯科用ポスト専用のポスト保持孔を設けることにより、溝状部を筆、ブラシ、ヘラ、スポンジ等の専用の載置場所として有効利用できる。
さらに、ポスト保持孔は、占有面積が小さいため、トレイ上に、容易に必要数を設けることができる。
【００２９】
請求項８記載の発明によれば、中空成形法等で成形された薄肉の歯科用トレイであり、使用時には変形しないように弱い力で握持しなければならないような歯科用トレイであっても、滑止用突条が設けられているため、歯科用トレイを握持したときの滑りを効果的に防止することができる。
【００３０】
請求項９記載の発明によれば、次のような効果が奏される。
一般に薬液作業の歯科用トレイは、前回使用の薬液との混和を避けるため、通常、歯科用トレイは拭き取り、または洗浄して使用される。また、作業効率を向上させるため、歯科用トレイの拭き取り、または洗浄作業を無くすために、使い捨てタイプにしているものもある。使い捨てタイプを製造する場合、コストを低くすることを意図して、合成樹脂を用いて中空成形法により製作される場合がある。
このようなトレイは、極めて軽量であり、薬液を薬液用溜孔に滴下採取して混和等を行う場合には、片手でトレイが移動しないように握持しておく必要があり、作業効率上問題である。
然るに、本発明のように、トレイの移動を阻止するための凹部や移動阻止壁を設けた置台上に、トレイを載置して用いることにより、片手でトレイを握持して作業する必要もなくなり、作業効率が向上する。
置台は、繰り返して使用できるものであり、コストの低減を左程、考慮することも必要でなく、射出成形等で相応の重さのあるものを製作して用いることが好ましい。
【発明を実施するための最良の形態】
【００３１】
以下、本発明の具体的な実施形態について、代表的な数例を挙げて説明する。
図１〜図６は、本発明の歯科用トレイの第１実施形態を示し、順次、斜視図、平面図、正面図、右側面図、図２におけるＶ〜Ｖ線縦断面図、VI〜VI線縦断面図である。
【００３２】
歯科用トレイ１は、ポリエチレン、ポリプロピレン、ポリアセタール、塩化ビニル、ＡＢＳ、ＰＴＦＥ等の合成樹脂を用いて、中空成形法により成形され、図２に示すように、平面視において、丸味を帯びた左右方向に横長な長方形状をなすとともに、図３に示すように、正面視において、扁平な角錐台状をなしている。
【００３３】
上面２には、左右方向の中央に前後方向の１本の溝状部３と、前後端近傍に左右方向の各１本の溝状部４、４が設けられている。前後方向の溝状部３の溝幅Ｗ３は、左右方向の溝状部４、４の溝幅Ｗ４よりも大きく形成されている。左右方向の２本の溝状部４、４の溝幅Ｗ４は同一である。溝状部３、４の好ましい溝幅Ｗ３、Ｗ４は、２〜６ｍｍである。
【００３４】
これらの溝状部３、４には、図３９に示す筆５、ブラシ６、ヘラ７、スポンジ８等の器具及び歯科用ポスト９が、例えば、図４０に示すように、作業の際に、予め載置される。図４０においては、左右方向の溝状部４、４の一方に筆５、他方にブラシ６、前後方向の溝状部３にスポンジ８と歯科用ポスト９が載置されている。
【００３５】
前後方向の溝状部３によって左右に区画された上面には、それぞれ１個の薬液用溜孔１０、１１が設けられている。
【００３６】
本発明の歯科用トレイ１が対象とする薬液は、歯科医師が歯の治療時に用いるものであり、その代表的なものは、歯の窩洞部に補綴物を装填する場合やファイバーポスト、メタルポスト等の歯科用ポスト９を固定する場合等に使用される接着剤や、この接着剤使用時の前処理剤として用いられるプライマー等が挙げられる。
【００３７】
たとえば、具体的には接着剤としては、ボンディング材やポリメチルメタクリレート系のレジンセメント等、またプライマーとしては、歯科用プライマー、歯科用セラミックスプライマー、コンポジットレジン用プライマー、貴金属用プライマー、非貴金属用プライマー等が挙げられる。
【００３８】
これらの接着剤やプライマーには、エタノール、イソプロピルアルコール等のアルコール類やアセトン等のケトン類等などの揮発性成分が含有されている。
【００３９】
使用の際には、接着剤やプライマーを、各薬液瓶からスポイトを用いて、たとえば図４０に示すように、一方の薬液用溜孔１０に接着剤１２、他方の薬液用溜孔１１にプライマー１３が滴下採取される。
【００４０】
接着剤１２が２液性タイプの場合は、各接着剤が各１滴ずつ薬液用溜孔１０に滴下採取され、溝状部４に載置されている筆５をもって混和される。
【００４１】
一方、溝状部４に載置されているブラシ６をもって、歯の窩洞部内を清潔にした後に、ピンセットを用いて、溝状部３上に載置されているスポンジ８をつまみ、このスポンジ８に薬液用溜孔１１内のプライマー１３を染み込ませて、窩洞部内面に塗布する。
【００４２】
なお、プライマー１３の窩洞部内面への塗布は、筆５をもって行う場合もある。
【００４３】
次いで、同様にしてスポンジ８または筆５をもって、薬液用溜孔１０内の接着剤１２を補綴物の表面に塗布し、前記窩洞部に装填する。
歯科用ポスト９を用いて治療する場合には、歯科用ポスト９に接着剤１２を塗布する。
【００４４】
接着剤１２やプライマー１３には、前記のように揮発性成分が含有されているため、前記の一連の作業は、短時間に手際よく行う必要がある。
【００４５】
本発明の歯科用トレイ１における大きな特徴の１つは、薬液用溜孔１０、１１の形状とその大きさにある。
【００４６】
従来の歯科用トレイ０１における薬液用溜部０２は、図４１、図４２に示すように、いわゆる薄皿状である。
【００４７】
これに対して、本発明の歯科用トレイ１における薬液用溜孔１０、１１は、いわゆる深孔状である。本実施形態における薬液用溜孔１０、１１は、図３〜図５に示すように、薬液用溜孔１０、１１における上部に上方に向けて拡径する擂鉢状の案内孔１４を設け、かつこの案内孔１４より下方の部分を、上端から底部に至るまで、ほぼ同一径の深孔状とすることにより、この両者により全体としても深孔状として形成されている。
【００４８】
薬液用溜孔１０、１１は、歯科治療において一般的に用いられる揮発性成分を含有する薬液に関して、好ましい通常の処理時間である２分経過時点において、薬液の６５％以上好ましくはほぼ７０％以上さらにはほぼ８０％以上を、薬液用溜孔１０、１１に充分に溜めておくことができるように設計されている。すなわち、薬液用溜孔１０、１１の容積を０．０１〜０．４０立方糎とするとともに、その深さＨ１０、Ｈ１１を５〜１０ｍｍ、最大孔径Ｗ１０、Ｗ１１を５．５〜９ｍｍとすることが好ましく、さらに好ましくは、深さを６〜８ｍｍ、最大孔径を６〜８ｍｍとすることが望まれる。
なお、本明細書において最大孔径とは、薬液用溜孔の上端すなわち出口における孔径を称し、以下、単に孔径と略称する場合もある。
【００４９】
このような本発明の歯科用トレイ１における薬液用溜孔１０、１１が、歯の治療時に用いる揮発性成分を含有する薬液の処理作業に極めて有効であることは、次の２つの新しい知見に基づくものである。すなわち、その１は、従来の浅皿状の薬用液溜０２（図４１、図４２参照）よりも本発明における深孔状の薬液用溜孔１０、１１とすることにより、所定時間後における薬液の残存率を大幅に向上することができること。その２は、薬液用溜孔１０、１１内の薬液の量が同一であれば、薬液用溜孔１０、１１の孔径が大きい方が空気と接する面積が増えるために揮発が多くなると予想されるが、実際には、孔径の大きさによって、逆の現象が生じること。
これらの現象については、後記の実施例において詳述する。
【００５０】
薬液用溜孔１０、１１における上部に設けた上方に向けて拡径する擂鉢状の案内孔１４は、薬液用溜孔１０、１１を従来の薬液用溜０２にみられた浅皿状から深孔状とすることによって、薬液用溜孔１０、１１への薬液の滴下や、筆またはピンセットの薬液用溜孔１０、１１への挿入作業がやりにくくなることを防止するものである。
【００５１】
図７〜図９は、本発明の歯科用トレイ１５の第２実施形態を示し、順次、斜視図、平面図、図８におけるIX〜IX線縦断面図である。
【００５２】
本実施形態においては、２個の薬液用溜孔１６、１７の孔径及び深さを異ならしめてある。すなわち、一方の薬液用溜孔１６の孔径Ｗ１６、深さＨ１６は、他方の薬液用溜孔１７の孔径Ｗ１７、深さＨ１７と比較して、Ｗ１６＞Ｗ１７、Ｈ１６＜Ｈ１７の関係にあり、両薬液用溜孔１６、１７の容積は、ほぼ同じに形成されている。
【００５３】
このように各薬液用溜孔の孔径、深さを異ならしめることにより、用いる複数の薬液のうち、たとえば揮発性の大きいものを孔径が小さく、深さが大きい方の薬液用溜孔１７に採取することなどにより、特に処理時間の調整を図ることができ、より良好な作業を行うことができる。
【００５４】
図１０〜図１２は、本発明の歯科用トレイ１８の第３実施形態を示し、順次、斜視図、平面図、図１１におけるXII〜XII線縦断面図である。
【００５５】
本実施形態においては、薬液用溜孔１９、２０における上部に、第１実施形態における案内孔１４が設けられていない。薬液用溜孔１９、２０の孔径Ｗ１９、Ｗ２０が比較的大きく作業上特に支障とならない場合には、必ずしも案内孔１４を設ける必要はない。
【００５６】
図１３〜図１８は、本発明の歯科用トレイ２１の第４実施形態を示し、順次、斜視図、平面図、正面図、右側面図、図１４におけるXVII〜XVII線縦断面図、XVIII〜XVIII線縦断面図である。
【００５７】
本実施形態においては、薬液用溜孔２２、２３は、その上部に上方に向けて拡径する擂鉢状の案内孔が設けられており、この案内孔より下方の部分は逆円錐状類似の形状を有する深孔状をなしており、上端から下方に向って漸次縮径されている。
【００５８】
なお、薬液用溜孔２２、２３の深さＨ２２、Ｈ２３については、図示のとおりである。
【００５９】
また、本実施形態においては、歯科用トレイ２１の周側面２１ａにリブ状の外向きに突出する複数個の上下方向の滑止用突条２１ｂが設けられている。
歯科用トレイ２１は、合成樹脂を用いて中空成形法により薄肉に成形されているため、使用時には変形しないように指先で弱い力で握持するとともに、周側面２１ａは、上方に向かって漸次窄まるように傾斜していることと相俟って握持した指が滑り易い傾向にある。この滑りは縦方向よりも、むしろ横方向に生じ易い。前記滑止用突条２１ｂは、この滑りを効果的に防止するものである。
【００６０】
図１９〜図２１は、本発明の歯科用トレイ２４の第５実施形態を示し、順次、斜視図、平面図、図２０におけるXXI〜XXI線縦断面図である。
【００６１】
本実施形態における薬液用溜孔２５、２６は、第４実施形態の薬液用溜孔２２、２３と同様に、その上部に擂鉢状の案内孔が設けられ、この案内孔より下方の部分は逆円錐状類似の形状を有する深孔状をなすとともに、その上部に案内孔２７、２８が設けられている。
【００６２】
薬液用溜孔２５、２６の孔径Ｗ２５、Ｗ２６、深さＨ２５、Ｈ２６については、図示のとおりである。
なお、薬液用溜孔における擂鉢状の案内孔より下方の部分についての孔径（たとえば図５、図１７におけるＡ１０、Ａ２２）に対する深さ（たとえば図５、図１７におけるＢ１０、Ｂ２２）の比は、一般に０．８〜３．０さらに好ましくは１．５〜２．３であることが薬液残量と操作性を良好にするうえから望まれる。
【００６３】
図２２〜図２６は、本発明の歯科用トレイ２９の第６実施形態を示し、順次、斜視図、平面図、図２３におけるXXIV〜XXIV線縦断面図、XXV〜XXV線縦断面図、XXVI〜XXVI線縦断面図である。
【００６４】
本実施形態における歯科用トレイ２９は、薬液用溜孔３０、３１と溝状部３２以外に、図３９に示した歯科用ポスト９の一端を挿入して保持するためのポスト保持孔３３が設けられている。歯科用ポスト９をポスト保持孔３３に保持させることにより、溝状部３２に載置する場合よりも安定的に保持することができるばかりでなく、歯科用ポスト９は、径が小さいため、溝状部３２に横向きに載置した場合、爪先で歯科用ポスト９を握持する必要があり、そのため取り出し難いが、ポスト保持孔３３に縦向きに保持させることにより、容易に歯科用ポスト３３を取り出すことができる。
【００６５】
また、歯科用ポスト専用のポスト保持孔３３を設けることにより、溝状部３２を、筆、ブラシ、ヘラ、スポンジ等の専用の載置場所として有効利用でき、さらにポスト保持孔３３は、占有面積が小さいため、歯科用トレイ２９上に、容易に必要数を設けることができる。
【００６６】
図２７〜図３２は、本発明の歯科用トレイ３４の第７実施形態を示し、順次、斜視図、平面図、正面図、右側面図、背面図、図２８におけるXXXII〜XXXII線縦断面図である。
【００６７】
本実施形態における歯科用トレイ３４は、前後方向の溝状部３５と左右方向の溝状部３６を有するが、このうち左右方向の溝状部３６は、これまでに示した断面が下向き弧状の溝状部とは異なり、図３０に示すように、偏平な片仮名レ字状の断面を有する。すなわち、図３０に示す右側面図において、鉛直壁面３６ａと、この鉛直壁面３６ａの下端から右上向きに漸次ゆるやかに上昇する傾斜面３６ｂとよりなる。かかる溝状部３６に、筆、ブラシ、ヘラ、スポンジ、歯科用ポスト等を、鉛直壁面３６ａ側に寄せて載置することにより、位置安定よく載置することができる。
【００６８】
特に、第１実施例〜第６実施例に示した断面が下向き弧状の溝状部では、対応が困難な太軸の筆等に対しても、良好に載置することができる。
【００６９】
図３３〜図３６は、本発明の歯科用トレイ３７の第８実施形態を示し、順次、斜視図、平面図、図３４におけるXXXV〜XXXV線縦断面図、XXXVI〜XXXVI線縦断面図である。
【００７０】
本実施形態における歯科用トレイ３７は、図３４に示す平面図において、外側に向けて膨らみのある丸味を帯びた正三角形状をなし、３個の角部近傍に、それぞれ薬液用溜孔３８、３９、４０が設けられている。また、溝幅の異なる３個の溝状部４１、４２、４３が設けられている。
【００７１】
このように本発明の歯科用トレイは、必要に応じて、形状を変更し、所望の数の薬液用溜孔、溝状部、ポスト保持孔を設けることができる。
【００７２】
たとえば図示は省略するが平面視が大き目の正四角形状をなすものとし、各角部近傍に薬液用溜孔を設けて、４個の薬液用溜孔を有し、これらの４個の薬液用溜孔を分離するように十字状に溝状部を配置することもできる。
【００７３】
また、さらに多くの個数の薬液用溜孔を設けることもできるが、余りに多くの薬液用溜孔を設けるよりも、適宜の個数の薬液用溜孔と溝状部を設けて使い捨てタイプとする方が、薬液の混合防止或は処理時間や操作性の面から現実的である。
【００７４】
なお、溝状部は、第１実施形態〜第７実施形態に示すように、隣設する薬液用溜孔を相互に分離するように溝状部を配設する方が、薬液の混合を防止するうえで好ましい。
【００７５】
図３７は、第９実施形態として、歯科用トレイ４４を、置台４５上に載置した実施形態を示す。すなわち、歯科用トレイ４４の移動を阻止するための歯科用トレイ底部を嵌入する凹部４６を上面に備える置台４６上に、歯科用トレイ４４を載置したものである。
【００７６】
一般に薬液作業の歯科用トレイは、前回使用の薬液との混和を避けるため、通常、使い捨てタイプである。そのため製造コストを低くすることを意図して、合成樹脂を用いて中空成形法により製作されるのが通常である。
【００７７】
このようなトレイは、極めて軽量であり、薬液を薬液用溜孔に滴下採取して混和等を行う場合には、片手でトレイが移動しないように握持しておく必要があり、作業効率上問題である。
【００７８】
然るに、本実施形態のように、トレイの移動を阻止するための凹部や防止壁を設けた置台上に、トレイを載置して用いることにより、片手でトレイを握持して作業する必要もなくなり、作業効率が向上する。
【００７９】
置台は、繰り返して使用できるものであり、コストの低減を左程、考慮することも必要でなく、射出成形等で相応の重さのあるものを製作して用いることが好ましい。
【００８０】
図３８は、第１０実施形態として、第９実施形態における置台４５とは異なる置台４７を用いた場合を示す。すなわち、上面に歯科用トレイ４８の底部周壁に当接して移動を阻止するための移動阻止壁４９を備える置台４７上に、歯科用トレイ４８を載置したものである。
【００８１】
なお、図３７、図３８においては、第１実施形態における歯科用トレイ１を載置した例を示し、これを仮想線で示した。
【００８２】
第１実施形態以外の実施形態における歯科用トレイについても、任意に適宜の凹部、または移動阻止壁を設けた置台上に載置して使用することができる。
（実施例）
薬液として、下記のものを用意した。
薬液Ａ：揮発性成分として、アセトンを含有する試作の２液タイプの接着剤（試作ボンド）
薬液Ｂ：揮発性成分として、エタノールを含有する２液タイプの接着剤（クラレメディカル社製ＤＣボンド〔商標〕）
薬液Ｃ：揮発性成分として、イソプロピルアルコールを含有する１液タイプの接着剤（トクヤマデンタル社製ボンドフォース〔商標〕）
薬液Ｄ：揮発性成分として、ブタノールを含有する２液タイプのプライマー（試作プライマー）
第１実施形態の歯科用トレイ１における薬液用溜孔１０と同様の形状をなし、薬液用溜孔１０の深さＨ１０と孔径Ｗ１０を種々変更したものを用意し、薬液毎にいずれの歯科用トレイについても同量となるように滴下採取し、２分経過時点の薬液残量を調べた結果を表１−１〜表１−４に示す。
具体的な測定方法は次のとおりである。
薬液の採取は、１液タイプの場合は、一滴の滴下量が０．０８立方糎となるスポイトを用いて溜孔内に滴下採取し、２液タイプの場合は、一滴の滴下量が０．０４立方糎となるスポイトを用いて各液を同じ溜孔内に滴下して両者で０．０８立方糎となるようにして、採取後直ちに筆をもって混和した。
１液タイプ、２液タイプいずれの場合も歯科用トレイを予め分析天秤上に載置しておき、薬液を滴下採取後、１液タイプの場合は混和することなくそのまま、２液タイプの場合は直ちに混和して、経時的な重量変化の挙動を記録した。測定は摂氏２３度の恒温中で、樹脂製の囲いで風が当ることのないようにして行った。重量変化の測定値の読み取りは、ｓａｒｔｏｒｉｕｓ社製のＳＡＲＴＯＲＩＵＳ  ＭＡＳＴＥＲＰＲＯ  ＢＡＬＡＮＣＥ（型式ＬＡ２３０Ｓ）の分析天秤を用い、１００００分の１ｇまで行った。薬液の滴下採取時の初期量に対する２分経過時点の薬液残量を百分率で表１−１〜表１−４に示した。
また、薬液用溜孔の孔径変化と薬液残量の関係を、薬液用溜孔の深さが６ｍｍ、７ｍｍ、８ｍｍの場合について、それぞれ表４〜表６に示した。
さらに、作業時の操作性の評価指標として、筆による混和性についての実験結果を表２−１〜表２−２、溜孔への薬液滴下性についての実験結果を表３にそれぞれ示した。
なお、評価は、下記に基づいて行った。
ｉ）筆による混和性
Ａ：筆による薬液の混和が容易に行える。
Ｂ：筆による薬液の混和がまれにしづらい場合がある。
Ｃ：筆による薬液の混和が時々しづらい場合がある。
Ｄ：筆による薬液の混和が困難である。
ii）溜孔への薬液滴下性
Ａ：溜孔の縁に薬液を付着させることなく容易に滴下採取できる。
Ｂ：薬液滴下の際に、溜孔の縁に薬液がまれに付着する。
Ｃ：薬液滴下の際に、溜孔の縁に薬液がしばしば付着する。
Ｄ：溜孔の縁に薬液を付着させることなく滴下採取することは困難である。
【００８３】
【表１−１】
2010042066.tif 000003
【表１−２】
2010042066.tif 000004
【表１−３】
2010042066.tif 000005
【表１−４】
2010042066.tif 000006
【００８４】
【表２−１】
2010042066.tif 000007
【表２−２】
2010042066.tif 000008
【００８５】
【表３】
2010042066.tif 000009
【００８６】
【表４】
2010042066.tif 000010
【００８７】
【表５】
2010042066.tif 000011
【００８８】
【表６】
2010042066.tif 000012
【００８９】
表１−１〜表１−４より、２分経過時点の薬液残量は、薬液用溜孔の深さが５ｍｍの場合、残量の程度が最も低い試作ボンドでも、孔径が５．５〜９ｍｍの範囲で６５％以上となっている。同じ試作ボンドで、深さが５．５ｍｍの場合は、孔径が６〜８ｍｍの範囲で薬液残量が７０％以上となるとともに、深さが６ｍｍの場合には、同じく孔径が６〜８ｍｍの範囲で薬液残量が７５％以上となっており、さらに深さが７ｍｍの場合には、同じく孔径が６〜８ｍｍの範囲で薬液残量が８０％以上となっている。
また、すべての薬液について、薬液用溜孔の深さが大きくなるほど薬液残量の割合も大きくなるが、表１−１〜表１−４、表４〜表６に示されるように、深さが一定の場合、所定の孔径以下では、予想に反して、むしろ孔径の大きい方が薬液残量の割合が増大する現象がみられる。これは、薬液用溜孔内の薬液量が同一であれば、孔径が小さい方が薬液の液面が空気が動きやすい歯科用トレイの上面近くになるため揮発が多くなることが原因と推定される。
また、作業時の操作性に関しては、筆による混和性については、表２−１〜表２−２より、薬液用溜孔の深さが１０ｍｍ以下好ましくは８ｍｍ以下、孔径が５．５ｍｍ以上好ましくは６ｍｍ以上、薬液用溜孔への薬液滴下性については、表３より、孔径が５．５ｍｍ以上好ましくは６ｍｍ以上であることが理解される。
以上より、結論として、薬液用溜孔の深さが５〜１０ｍｍ、さらに好ましくは６〜８ｍｍ、孔径が５．５〜９ｍｍ、さらに好ましくは６〜８ｍｍであることが望ましいことが理解される。
【図面の簡単な説明】
【００９０】
【図１】本発明の歯科用トレイの第１実施形態の斜視図である。
【図２】同じく、第１実施形態の平面図である。
【図３】同じく、第１実施形態の正面図である。
【図４】同じく、第１実施形態の右側面図である。
【図５】図２におけるＶ〜Ｖ線縦断面図である。
【図６】図２におけるVI〜VI線縦断面図である。
【図７】第２実施形態の斜視図である。
【図８】同じく、第２実施形態の平面図である。
【図９】図８におけるIX〜IX線縦断面図である。
【図１０】第３実施形態の斜視図である。
【図１１】同じく、第３実施形態の平面図である。
【図１２】図１１におけるXII〜XII線縦断面図である。
【図１３】第４実施形態の斜視図である。
【図１４】同じく、第４実施形態の平面図である。
【図１５】同じく、第４実施形態の正面図である。
【図１６】同じく、第４実施形態の右側面図である。
【図１７】図１４におけるXVII〜XVII線縦断面図である。
【図１８】図１４におけるXVIII〜XVIII線縦断面図である。
【図１９】第５実施形態の斜視図である。
【図２０】同じく、第５実施形態の平面図である。
【図２１】図２０におけるXXI〜XXI線縦断面図である。
【図２２】第６実施形態の斜視図である。
【図２３】同じく、第６実施形態の平面図である。
【図２４】図２３におけるXXIV〜XXIV線縦断面図である。
【図２５】図２３におけるXXV〜XXV線縦断面図である。
【図２６】図２３におけるXXVI〜XXVI線縦断面図である。
【図２７】第７実施形態の斜視図である。
【図２８】同じく、第７実施形態の平面図である。
【図２９】同じく、第７実施形態の正面図である。
【図３０】同じく、第７実施形態の右側面図である。
【図３１】同じく、第７実施形態の背面図である。
【図３２】図２８におけるXXXII〜XXXII線縦断面図である。
【図３３】第８実施形態の斜視図である。
【図３４】同じく、第８実施形態の平面図である。
【図３５】図３４におけるXXXV〜XXXV線縦断面図である。
【図３６】図３４におけるXXXVI〜XXXVI線縦断面図である。
【図３７】第９実施形態について、一部仮想線で示す斜視図である。
【図３８】第１０実施形態について、一部仮想線で示す斜視図である。
【図３９】筆、ブラシ、ヘラ、スポンジ等の器具及び歯科用ポストの斜視図である。
【図４０】本発明の歯科用トレイの使用状態を示す斜視図である。
【図４１】従来の歯科用トレイの斜視図である。
【図４２】図４１に示す歯科用トレイのXXXXII〜XXXXII線縦断面図である。
【符号の説明】
【００９１】
１      歯科用トレイ
２      上面
３、４  溝状部
５      筆
６      ブラシ
７      ヘラ
８      スポンジ
９      歯科用ポスト
１０、１１    薬液用溜孔
１２    接着剤
１３    プライマー
１４    案内孔
１５    歯科用トレイ
１６、１７    薬液用溜孔
１８    歯科用トレイ
１９、２０    薬液用溜孔
２１    歯科用トレイ
２１ａ  周側面
２１ｂ  滑止用突条
２２、２３    薬液用溜孔
２４    歯科用トレイ
２５、２６    薬液用溜孔
２７、２８    案内孔
２９    歯科用トレイ
３０、３１    薬液用溜孔
３２    溝状部
３３    ポスト保持孔
３４    歯科用トレイ
３５、３６    溝状部
３６ａ  鉛直壁面
３６ｂ  傾斜面
３７    歯科用トレイ
３８、３９、４０    薬液用溜孔
４１、４２、４３    溝状部
４４    歯科用トレイ
４５    置台
４６    凹部
４７    置台
４８    歯科用トレイ
４９    移動阻止壁
【図１】
2010042066.tif 000013
【図２】
2010042066.tif 000014
【図３】
2010042066.tif 000015
【図４】
2010042066.tif 000016
【図５】
2010042066.tif 000017
【図６】
2010042066.tif 000018
【図７】
2010042066.tif 000019
【図８】
2010042066.tif 000020
【図９】
2010042066.tif 000021
【図１０】
2010042066.tif 000022
【図１１】
2010042066.tif 000023
【図１２】
2010042066.tif 000024
【図１３】
2010042066.tif 000025
【図１４】
2010042066.tif 000026
【図１５】
2010042066.tif 000027
【図１６】
2010042066.tif 000028
【図１７】
2010042066.tif 000029
【図１８】
2010042066.tif 000030
【図１９】
2010042066.tif 000031
【図２０】
2010042066.tif 000032
【図２１】
2010042066.tif 000033
【図２２】
2010042066.tif 000034
【図２３】
2010042066.tif 000035
【図２４】
2010042066.tif 000036
【図２５】
2010042066.tif 000037
【図２６】
2010042066.tif 000038
【図２７】
2010042066.tif 000039
【図２８】
2010042066.tif 000040
【図２９】
2010042066.tif 000041
【図３０】
2010042066.tif 000042
【図３１】
2010042066.tif 000043
【図３２】
2010042066.tif 000044
【図３３】
2010042066.tif 000045
【図３４】
2010042066.tif 000046
【図３５】
2010042066.tif 000047
【図３６】
2010042066.tif 000048
【図３７】
2010042066.tif 000049
【図３８】
2010042066.tif 000050
【図３９】
2010042066.tif 000051
【図４０】
2010042066.tif 000052
【図４１】
2010042066.tif 000053
【図４２】
2010042066.tif 000054